(57)【要約】      （修正有）【課題】折り畳んで携帯使用することができ、男性が立って小便をする時、尿液の噴出方向を制御して尿液が完全に小便器又は便器内に排出されるようにガイドし、尿液が飛散することを防止し、拭き取り部から残留尿を拭き取り、良好な個人衛生習慣及びトイレの環境を清潔に維持する男性用導尿器を提供する。【解決手段】中空を呈するケーシング１を設け、ケーシングの一端には入口１０が設けられ、ケーシングの他端には排尿口１１が設けられ、ケーシングの内側に陰茎保護部１２を設け、ケーシングの外側に拭き取り部１３を備え、ケーシングの周囲に折り目１４を設け、ケーシングの上方に開合端１５を設け、ケーシングの内部に緩衝室を設け、ケーシングの外側には、凹溝１７を設け、凹溝は、拭き取り部に設置されている。【選択図】図１
0003225120.tif 000002
【実用新案登録請求の範囲】
【請求項１】
中空を呈するケーシングを設け、該ケーシングの一端に入口を設け、該ケーシングの他側に排尿口を設け、該ケーシングの内側に陰茎保護部を設け、該ケーシングの外側に拭き取り部を設け、該ケーシングの周囲に折り目を設け、該ケーシングの上方に開合端を設ける男性用導尿器。
【請求項２】
該ケーシングの内部に緩衝室を設け、該ケーシングの外側に凹溝を設け、該凹溝は、該拭き取り部に設置され、該拭き取り部は、紙材又は布類を設ける請求項１に記載の男性用導尿器。
【考案の詳細な説明】
【技術分野】
【０００１】
本考案は、男性用導尿器に関し、特に、中空を呈するケーシングを設け、該ケーシングの一端には入口が設けられ、該ケーシングの他端には排尿口が設けられ、該ケーシングの内側に陰茎保護部を設け、該ケーシングの外側に拭き取り部を備え、該ケーシングの周囲に折り目を設け、該ケーシングの上方に開合端を設け、該ケーシングの内部に緩衝室を設け、該ケーシングの外側は、凹溝を設け、該凹溝は、該拭き取り部に設置されている。このように、該ケーシングは、折り畳んで携帯使用することができ、男性が立って小便をする時、該ケーシングは、陰茎に被せ、尿液の噴出方向を制御して尿液が完全に小便器又は便器内に排出されるようにガイドし、尿液が飛散することを防止し、細菌の繁殖を回避することができ、また、該拭き取り部から残留尿を拭き取り、良好な個人衛生習慣及びトイレの環境を清潔に維持する。
【背景技術】
【０００２】
男性が立って小便をすることは、男性の生理学的構造に沿っており、スムーズで自然な方法であるが、しばしば、立っている位置と小便器または便器との距離、方向等の要素により、尿液を小便器または便器に完全に排出することは困難となり、特に、高齢者は高齢で立つことが不安定になりやすいので、片手で壁を持ち、片手で排尿を行う必要があるため、個人の手指の衛生に問題を生じ、また、尿液が小便器または便器の外側に飛散し、しばしば、脚、ズボン、靴又はトイレの床等が尿液の噴射で濡れて汚れ、尿の臭いが充満し、細菌の繁殖を招き、且つ掃除の不便さが増し、更にはトイレ全体の清潔さやトイレを使用している他の人の知覚に影響し、また、排尿後に、陰茎に残留尿が残っていてきれいに拭き取ることができないか、または脚、ズボン、靴、トイレの床等が尿液の噴射で汚れてきれいに拭き取ることができない場合、個人の衛生上の問題だけでなく、トイレの環境の清潔も維持することができない。本考案者は、従来は上記の欠陥が存在することに鑑み、研究改良に専念しており、本考案をオリジナルの作成物を作成することができる。
【先行技術文献】
【特許文献】
【０００３】
【特許文献１】特開2016-131869号公報
【考案の概要】
【考案が解決しようとする課題】
【０００４】
本考案の目的は、男性が立って小便をする時、該ケーシングを陰茎に被せることができ、尿液を噴出する方向を制御し、尿液が完全に小便器又は便器内に排出されるようにガイドし、尿液の飛散を回避し、残留した尿をきれいに拭き取ることができ、良好な個人衛生習慣及びトイレの環境の清潔を維持することができる男性用導尿器を提供することにある。
【課題を解決するための手段】
【０００５】
本考案の特徴は、中空を呈するケーシングを設け、該ケーシングの一端に入口を設け、該ケーシングの他側に排尿口を設け、該ケーシングの内側に陰茎保護部を設け、該ケーシングの外側に拭き取り部を設け、該ケーシングの周囲に折り目を設け、該ケーシングの上方に開合端を設け、該ケーシングの内部に緩衝室を設け、該ケーシングの外側に凹溝を設け、該凹溝は、該拭き取り部に設置され、該拭き取り部は、紙材又は布類を設けることにある。
【０００６】
本考案の男性用導尿器において、該ケーシングの周囲に折り目を設ける。
【０００７】
本考案の男性用導尿器において、該ケーシングの上方に開合端を設ける。
【０００８】
本考案の男性用導尿器において、該ケーシングの内部に緩衝室を設ける。
【０００９】
本考案の男性用導尿器において、該ケーシングの外側に凹溝を設け、該凹溝は、該拭き取り部に設置され、該拭き取り部は、紙材又は布類を設ける。
【考案の効果】
【００１０】
本考案の男性用導尿器は、男性が立って小便をする時、該ケーシングを陰茎に被せることができ、尿液を噴出する方向を制御し、尿液が完全に小便器又は便器内に排出されるようにガイドし、尿液の飛散を回避し、残留した尿をきれいに拭き取ることができ、良好な個人衛生習慣及びトイレの環境の清潔を維持することができる。
【図面の簡単な説明】
【００１１】
【図１】本考案の実施例の立体図である。
【図２】本考案の実施例の正面図である。
【図３】本考案の実施例の断面図である。
【図４】本考案の実施例の折り畳み参考図である。
【考案を実施するための形態】
【００１２】
本考案の上記の目的及び効果を達成するために採用する技術手段について、好適実施例を挙げ、図面に合わせて以下に説明する。
【００１３】
本考案の実施例は、図１〜図３（図３は、図２のＡ−Ａ線の断面図である）を参照し、中空を呈するケーシング１を設け、該ケーシング１の一端に入口１０を設け、該ケーシング１の他側に排尿口１１を設け、該ケーシング１の内側に陰茎保護部１２を設け、該ケーシング１の外側に拭き取り部１３を設け、該ケーシング１の周囲に折り目１４を設け、該ケーシング１の上方の斜め上縁に開合端１５を設け、該ケーシング１の内部に緩衝室１６を設け、該ケーシング１の外側に凹溝１７を設け、該凹溝１７は、該拭き取り部１３に設置され、該拭き取り部１３は、紙材又は布類を設ける。
【００１４】
折り畳んで携帯する時、図４に示すように、該ケーシング１の折り目１４を利用し、該ケーシング１の開合端１５を内に折り、該ケーシング１の開合端１５を露出させ、再度開いて使用することができる。このようにして、該ケーシング１を折りたたんだり、複数の該ケーシング１を１つのグループにパッケージ化したりでき、折り畳みや持ち運びに便利である。
【００１５】
使用する時、図１〜図３を参照し、該ケーシング１を陰茎に被せ、該ケーシング１の入口１０から陰茎を該排尿口１１に向けて入れることができ、同時に該ケーシング１の陰茎保護部１２及び緩衝室１６は、緩衝保護を行うことができ、尿液噴出の方向を制御し、尿液が小便器又は便器内に完全に排出されるようにガイドし、尿液の飛散を防ぎ、細菌の繁殖を防ぎ、また、該ケーシング１の拭き取り部１３で陰茎の残留尿液をきれいに拭き取るか、該ケーシング１の拭き取り部１３で脚、ズボン、靴、トイレの床などの尿液が噴出されて汚れた箇所をふき取ってきれいにすることもでき、良好な個人衛生習慣を達成し、トイレの環境を清潔に維持することができる。
【００１６】
要約すると、本考案は、予期された使用目的及び効果を確かに達成し、且つ先行技術よりも理想的且つ実用的であるが、上記の実施例は、本考案の好ましい実施例について具体的に説明するだけであり、この実施例は、本考案の保護範囲を限定することを意図するものではなく、本考案の開示する技術手段で完成される均等の変化及び修飾は、何れも本考案に含まれるべきである。
【符号の説明】
【００１７】
１  ケーシング
１０  入口
１１  排尿口
１２  陰茎保護部
１３  拭き取り部
１４  折り目
１５  開合端
１７  凹溝
【図１】
0003225120.tif 000003
【図２】
0003225120.tif 000004
【図３】
0003225120.tif 000005
【図４】
0003225120.tif 000006